(57)【要約】【課題】コネクタハウジングの外形寸法の増大を抑えつつ、下から挿入した固定金具の抜けを確実に防止すること。【解決手段】コネクタハウジング１の側壁の内側にスロット２１を形成し、固定金具１０のハウジング取着部１２を差し込み係止する。スロットは、入口幅が上方の幅よりも幅狭で、途中に係止段部２２を有する。ハウジング取着部は、中央部のスリット１４により左右のアーム１３に分割され、各アームの上端部にフック１３ａを有する。アームは、フックがスロットの入口を通過するとき内側に撓み、入口通過後に撓みから復帰してフックを係止段部に係合させる。スロットの内壁には、アームが内側に撓んだ状態で進入してきたとき、アームを板厚方向に撓ませながらアームの上端部を自身の端面に乗り上げさせ、フックがスロットの入口を通過してアームが撓みから復帰したとき、スリット内に嵌まりアームの内側への撓みを阻止する凸部２３が設けられている。【選択図】図４
2009117152.tif 000002
【特許請求の範囲】
【請求項１】
基板にハンダ付けされることによって該基板の表面に実装される表面実装用コネクタであって、
側壁を両端に有し、該側壁それぞれの内部に、前記基板に実装された際に該基板と対面する前記側壁の下面から、上方へ向けて延長するスロットが形成されたコネクタハウジングと、前記側壁の間の前記コネクタハウジングの部分に装着された複数の端子と、２枚の金属板を断面視略Ｌ字状にそれぞれ曲げることで形成された２つの固定金具と、を備え、
前記固定金具各々が、基板固着部と、該基板固着部に連設された断面視略Ｌ字状の曲げ部と、前記曲げ部に連設され且つ該曲げ部を介して前記基板固着部に対し起立状態に設けられたハウジング取着部と、を有し、
前記固定金具は、それらのハウジング取着部が前記側壁の下方からそれぞれ前記スロットに差し込まれることで前記コネクタハウジングに固着されており、
前記固定金具の基板固着部それぞれが表面実装用コネクタを前記基板に固定するために該基板にハンダ付けされる部分であり、
前記スロット各々は、その下方の入口の幅が上方の幅よりも幅狭に形成され、且つ幅の変化する部分に係止段部を有するものとして形成され、
前記固定金具のハウジング取着部各々には、その幅方向の中央部に、上端から前記曲げ部側に向けて延びるスリットが形成され、これにより左右に分割された一対のアームが形成されており、
前記左右一対のアームの上端部には、前記スロットの入口の幅よりも大きく外側に突出し、且つ、前記スロットに差し込まれた際に前記係止段部に係合することで前記固定金具の下方への抜けを阻止するフックが形成され、
前記左右一対のアームは、それらの前記フックが前記スロットの入口を通過する際に内側に撓むことで通過を許容し、前記スロットの入口の通過後に内側に撓んだ状態から復帰することで前記フックを係止段部に係合させるものとして構成され、
前記スロットの内壁には凸部が設けられており、
前記凸部は、前記スロットの入口を前記フックが通過するにあたり前記左右一対のアームが内側に撓んだ状態で進入してきたときに、該アームの上端部を該凸部の前端面に乗り上げさせ、前記フックが前記スロットの入口を通過して前記アームが内側に撓んだ状態から復帰したときに、前記スリットの開放に応じて該スリット内に嵌まり、それにより、前記アームの内側への撓みを阻止することを特徴とする表面実装用コネクタ。
【請求項２】
前記凸部は、前記スロットの入口を前記フックが通過するにあたり前記左右一対のアームが内側に撓んだ状態で進入してきたときに、該アームを板厚方向に撓ませながら該アームの上端部を該凸部の前端面に乗り上げさせ、前記フックが前記スロットの入口を通過して前記アームが内側に撓んだ状態から復帰したときに、前記スリットの開放に応じて該スリット内に嵌まり、それにより、前記アームの内側への撓みを阻止することを特徴とする請求項１に記載した表面実装用コネクタ。
【発明の詳細な説明】
【技術分野】
【０００１】
本発明は、コネクタハウジングの両端に取り付けた固定金具を基板にハンダ付けすることによって基板上に実装される表面実装用コネクタに関するものである。
【背景技術】
【０００２】
図５は特許文献１に記載された従来の表面実装用コネクタを示している。この表面実装用コネクタは、略矩形箱状に形成され、基板１１０上に載置される絶縁樹脂製のコネクタハウジング１０１と、コネクタハウジング１０１の側壁の外面に設けられた組付部１０２に上側から圧入されることでコネクタハウジング１０１の側壁に固定された固定金具１０３と、を備えている。
【０００３】
固定金具１０３は、帯状の金属板を断面視略Ｌ字状に折り曲げて形成したもので、基板１１０の表面にハンダ付けされる基板固着部１０３ａと、基板固着部１０３ａに対して起立状態に設けられ、コネクタハウジング１０１の組付部１０２に取着されるハウジング取着部１０３ｂと、を有している。図５の表面実装用コネクタは、固定金具１０３の基板固着部１０３ａが基板１１０にハンダ付けされることにより基板１１０上に実装される。
【０００４】
図６（ａ）、（ｂ）は、別の従来の表面実装用コネクタを示しており、図６（ａ）は上面図、そして図６（ｂ）は下面図である。この表面実装用コネクタは、端子１５２を装着したコネクタハウジング１５１の両端の側壁に、固定金具１５３を下から圧入した構成をなしている。
【０００５】
【特許文献１】特開２００６−３１９４４号公報
【発明の開示】
【発明が解決しようとする課題】
【０００６】
ところで、図５に示す従来例のように、固定金具１０３を上からコネクタハウジング１０１の側壁に圧入する場合、コネクタハウジング１０１の側壁の外面に組付部１０２を形成する関係で、コネクタ全体の外形が大きくなってしまうという問題がある。
【０００７】
また、図６に示す従来例のように固定金具１５３をコネクタハウジング１５１の下から単に圧入する場合、コネクタハウジング１５１から固定金具１５３が抜けやすく、固定金具１５３に対する保持力が弱いという問題がある。
【０００８】
本発明は、上述した事情に鑑みてなされたものであり、その目的は、外形寸法の増大を抑えつつ、下から挿入した固定金具の抜けを確実に防止することのできる表面実装用コネクタを提供することにある。
【課題を解決するための手段】
【０００９】
前述した目的を達成するために、本発明に係る表面実装用コネクタは、下記（１）および（２）を特徴としている。
（１）  基板にハンダ付けされることによって該基板の表面に実装される表面実装用コネクタであって、
側壁を両端に有し、該側壁それぞれの内部に、前記基板に実装された際に該基板と対面する前記側壁の下面から、上方へ向けて延長するスロットが形成されたコネクタハウジングと、前記側壁の間の前記コネクタハウジングの部分に装着された複数の端子と、２枚の金属板を断面視略Ｌ字状にそれぞれ曲げることで形成された２つの固定金具と、を備え、
前記固定金具各々が、基板固着部と、該基板固着部に連設された断面視略Ｌ字状の曲げ部と、前記曲げ部に連設され且つ該曲げ部を介して前記基板固着部に対し起立状態に設けられたハウジング取着部と、を有し、
前記固定金具は、それらのハウジング取着部が前記側壁の下方からそれぞれ前記スロットに差し込まれることで前記コネクタハウジングに固着されており、
前記固定金具の基板固着部それぞれが表面実装用コネクタを前記基板に固定するために該基板にハンダ付けされる部分であり、
前記スロット各々は、その下方の入口の幅が上方の幅よりも幅狭に形成され、且つ幅の変化する部分に係止段部を有するものとして形成され、
前記固定金具のハウジング取着部各々には、その幅方向の中央部に、上端から前記曲げ部側に向けて延びるスリットが形成され、これにより左右に分割された一対のアームが形成されており、
前記左右一対のアームの上端部には、前記スロットの入口の幅よりも大きく外側に突出し、且つ、前記スロットに差し込まれた際に前記係止段部に係合することで前記固定金具の下方への抜けを阻止するフックが形成され、
前記左右一対のアームは、それらの前記フックが前記スロットの入口を通過する際に内側に撓むことで通過を許容し、前記スロットの入口の通過後に内側に撓んだ状態から復帰することで前記フックを係止段部に係合させるものとして構成され、
前記スロットの内壁には凸部が設けられており、
前記凸部は、前記スロットの入口を前記フックが通過するにあたり前記左右一対のアームが内側に撓んだ状態で進入してきたときに、該アームの上端部を該凸部の前端面に乗り上げさせ、前記フックが前記スロットの入口を通過して前記アームが内側に撓んだ状態から復帰したときに、前記スリットの開放に応じて該スリット内に嵌まり、それにより、前記アームの内側への撓みを阻止すること。
（２）  上記（１）の構成の表面実装用コネクタにおいて、
前記凸部は、前記スロットの入口を前記フックが通過するにあたり前記左右一対のアームが内側に撓んだ状態で進入してきたときに、該アームを板厚方向に撓ませながら該アームの上端部を該凸部の前端面に乗り上げさせ、前記フックが前記スロットの入口を通過して前記アームが内側に撓んだ状態から復帰したときに、前記スリットの開放に応じて該スリット内に嵌まり、それにより、前記アームの内側への撓みを阻止すること。
【００１０】
上記（１）の構成の表面実装用コネクタでは、コネクタハウジングに形成したスロットに固定金具のハウジング取着部を差し込むことで、固定金具をコネクタハウジングに抜け止め固定することができる。即ち、固定金具のハウジング取着部をスロットに挿入すると、まず、左右のアームが内側に撓むことで、フックがスロットの入口を通過する。その際、アームが内側に撓んだ状態で、該アームの上端部が、スロットの内壁に設けた凸部によって、板厚方向に撓ませられながら或いはコネクタハウジングの側壁を撓ませながら該凸部の前端面に乗り上げる。そして、フックがスロットの入口を通過して、アームが撓みから復元すると、フックがスロットの係止段部に係合すると同時に、ハウジング取着部の開放したスリットに凸部が嵌まり、凸部がアームの内側への撓みを阻止する。
従って、フックが係止段部に係合することで、固定金具がコネクタハウジングから抜け止めされ、凸部がスリットに嵌まりアームの内側への撓みが規制されることで、フックの係止段部からの外れが防止され、固定金具が二重係止される。その結果、固定金具に抜け方向の荷重がかかった場合にも、凸部の働きにより確実に、固定金具の抜け止めを行なうことができる。この場合、コネクタハウジングの両端面を形成する両側壁の内側にスロットを設けると共に、スロットの内壁に凸部を設けているので、コネクタハウジングの外形寸法の増大を抑えることができる。
上記（２）の構成の表面実装用コネクタでは、フックがスロットの入口を通過する際に、アームが内側に撓んだ状態で、該アームの上端部が、スロットの内壁に設けた凸部によって、板厚方向に撓ませられながら該凸部の前端面に乗り上げる。このように固定金具のハウジング取着部（より詳細には、アーム）をその板厚方向に撓ます構成であるので、コネクタハウジングの小型化を図りつつもコネクタハウジングの側壁に特別な可撓性を持たせる必要がない（即ち、側壁の剛性を低める必要がない）。
【発明の効果】
【００１１】
本発明によれば、外形寸法の増大を抑えつつ、下から差し込んだ固定金具の抜けを確実に防止することができ、信頼性の向上が図れる。
【００１２】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１３】
以下、本発明に係る好適な実施形態を図面に基づいて詳細に説明する。
【００１４】
図１は実施形態の表面実装用コネクタを下から見た斜視図である。図２〜図４は固定金具をスロットに差し込む際の動作を順を追って示す図であって、各図の（ａ）はスロットの幅方向の中央で切った断面図、各図の（ｂ）は各（ａ）のＩＩｂ−ＩＩｂ、ＩＩＩｂ−ＩＩＩｂ、ＩＶｂ−ＩＶｂ矢視断面図、各図の（ｃ）は各（ａ）のＩＩｃ−ＩＩｃ、ＩＩＩｃ−ＩＩＩｃ、ＩＶｃ−ＩＶｃ矢視断面図である。
【００１５】
この表面実装用コネクタは、図１に示すように、絶縁樹脂で成形されたコネクタハウジング１と、コネクタハウジング１に装着された複数の端子２と、コネクタハウジング１の下面の長手方向の両端部に取り付けられた一対の固定金具１０と、を備え、固定金具１０を基板にハンダ付けすることで、基板の表面に実装されるものである。
【００１６】
コネクタハウジング１の両端の側壁の内部には、図２（ａ）〜（ｃ）に示すように、実装すべき基板（不図示）に対面する下面から上方へ向けて延長するスロット２１が形成されている。コネクタハウジング１の側壁と側壁との間のコネクタハウジング１の部分には複数の端子２が配置されている。
【００１７】
また、固定金具１０は、帯状の金属板を断面視略Ｌ字状に折り曲げることで形成され、基板の板面にハンダ付けされる基板固着部１１と、該基板固着部１１に対し略直角の曲げ部を介して起立状態に設けられて前記スロット２１に下方から差し込まれることでコネクタハウジング１に固着されるハウジング取着部１２と、を有している。
【００１８】
前記スロット２１は、下方の入口の幅が上方の幅よりも幅狭に形成され、幅の変化する部分に係止段部２２を有するものとして形成されている。即ち、スロット２１の入口は、広幅の内側および外側の対向壁２１ａ、２１ｂと左右側壁２１ｃとで囲まれた矩形穴として形成されており、左右側壁２１ｃ間の寸法が、固定金具１０のハウジング取着部１２の幅よりもやや大きい寸法に設定され、その入口よりも上側の空間の幅が、入口の幅よりも大きく設定されている。
【００１９】
また、固定金具１０のハウジング取着部１２には、その幅方向の中央部に、上端から曲げ部側に向けて延びるスリット１４が形成されることで、左右一対のアーム１３、１３に分割されている。そして、各アーム１３の上端部に、スロット２１の入口の幅よりも大きく外側に突出し、且つ、スロット２１に差し込まれた際に、前記係止段部２２に係合することで、固定金具１０の下方への抜けを阻止するフック１３ａが形成されている。また、各アーム１３の上端部の外縁には、スロット２１の入口にアーム１３を挿入しやすくするための案内用の面取部１３ｂが設けられている。
【００２０】
また、左右一対のアーム１３は、フック１３ａがスロット２１の入口を通過する際に内側に撓むことで通過を許容し、該スロット２１の入口の通過後に内側に撓んだ状態から復帰することでフック１３ａを係止段部２２に係合させるものとして構成されている。
【００２１】
一方、スロット２１の外側の内壁（対向壁２１ｂの延長壁）には、図３（ａ）〜（ｃ）に示すように、スロット２１の入口をフック１３ａが通過するにあたり左右一対のアーム１３が内側に撓んだ状態で進入してきたときに、アーム１３を板厚方向に撓ませながらアーム１３の上端部を自身の端面に乗り上げさせ、図４（ａ）〜（ｃ）に示すように、フック１３ａがスロット２１の入口を通過してアーム１３が撓みから復帰したときに、スリット１４の開放に応じて該スリット１４内に嵌まり、それにより、アーム１３の内側への撓みを阻止する凸部２３が設けられている。係止段部２３の下側端面２３ａは、アーム１３の乗り上げを案内する傾斜面として構成され、係止段部２３の左右側端面２３ｂはアーム１３の内側縁に対する係合面として構成されている。尚、スロット２１の奥部には、図３（ａ）および（ｂ）に指し示すように、アーム１３の板厚方向の撓みを許容する撓み空間２１ｄが確保されている。
【００２２】
次に作用を説明する。この表面実装用コネクタでは、コネクタハウジング１に形成したスロット２１に固定金具１０のハウジング取着部１２を差し込むことで、固定金具１０をコネクタハウジング１に抜け止め固定することができる。
【００２３】
即ち、固定金具１０のハウジング取着部１２をスロット２１に挿入すると、まず、図２（ａ）〜（ｃ）に示すように、左右のアーム１３が内側に撓むことで、フック１３ａがスロット２１の入口を通過する。更に差し込むと、図３（ａ）〜（ｃ）に示すように、アーム１３が内側に撓んだ状態で、アーム１３の上端部が、スロット２１の内壁に設けた凸部２３に乗り上げる。そして、更に差し込むと、図４（ａ）〜（ｃ）に示すように、フック１３ａがスロット２１の入口を通過して、アーム１３が撓みから復元することにより、フック１３ａがスロット２１の係止段部２２に係合すると同時に、ハウジング取着部１２の開放したスリット１４に、コネクタハウジング１側の凸部２３が嵌まり、凸部２３の左右側端面２３ｂがアーム１３の内側縁に当たることで、アーム１３の内側への撓みを阻止する。
【００２４】
従って、フック１３ａが係止段部２２に係合することにより、固定金具１０がコネクタハウジング１のスロット２１から抜け止めされ、凸部２３がスリット１４に嵌まりアーム１３の内側への撓みが規制されることで、フック１３ａの係止段部２２からの外れが防止され、固定金具１０が二重係止される。その結果、固定金具１０に抜け方向の荷重がかかった場合にも、凸部２３の働きにより確実に、固定金具１０の抜け止めを行なうことができる。
【００２５】
また、この表面実装用コネクタの場合、コネクタハウジング１の側壁の内側にスロット２１を設けると共に、スロット２１の内壁に凸部２３を設けているので、コネクタハウジング１の外形寸法の増大を抑えることができる。
【００２６】
また、この表面実装用コネクタの場合、フック１３ａがスロット２１の入口を通過する際に、アーム１３が内側に撓んだ状態で、該アーム１３の上端部が、スロット２１の内壁に設けた凸部２３によって、板厚方向に撓ませられながら該凸部２３の前端面に乗り上げるので、このように固定金具１０のハウジング取着部１２（より詳細には、アーム１３）をその板厚方向に撓ます構成であるので、コネクタハウジング１の小型化を図りつつもコネクタハウジング１の側壁に特別な可撓性を持たせる必要がない（即ち、側壁の剛性を低める必要がない）。
【００２７】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００２８】
例えば、上記実施形態では、凸部２３は、スロット２１の入口をフック１３ａが通過するにあたり左右一対のアーム１３が内側に撓んだ状態で進入してきたときに、該アーム１３を板厚方向に撓ませながら該アーム１３の上端部を凸部２３の前端面に乗り上げさせるが、こういった構成に限らず、凸部２３が、スロット２１の入口をフック１３ａが通過するにあたり左右一対のアーム１３が内側に撓んだ状態で進入してきたときに該アーム１３により押圧され、これによりスロット２１の外側の内壁（換言すれば、対向壁２１ｂの延長壁であって、コネクタハウジング１の両端面を形成する両側壁の部分）が板厚方向に外側に撓まされることによって、該アーム１３の上端部が凸部２３の前端面に乗り上げる構成であってもよい。
【図面の簡単な説明】
【００２９】
【図１】本発明の実施形態の表面実装用コネクタを下から見た斜視図である。
【図２】図１の表面実装用コネクタにおいて、固定金具をスロットに差し込む際の動作の始めの段階を示す図であって、図２（ａ）はスロットの幅方向の中央で切った断面図、図２（ｂ）は図２（ａ）のＩＩｂ−ＩＩｂ、そして図２（ｃ）は図２（ａ）のＩＩｃ−ＩＩｃ矢視断面図である。
【図３】図２の次の段階を示す図であって、図３（ａ）はスロットの幅方向の中央で切った断面図、図３（ｂ）は図３（ａ）のＩＩＩｂ−ＩＩＩｂ、そして図３（ｃ）は図３（ａ）のＩＩＩｃ−ＩＩＩｃ矢視断面図である。
【図４】図３の次の段階を示す図であって、図４（ａ）はスロットの幅方向の中央で切った断面図、図４（ｂ）は図４（ａ）のＩＶｂ−ＩＶｂ、そして図４（ｃ）は図４（ａ）のＩＶｃ−ＩＶｃ矢視断面図である。
【図５】従来例を示す斜視図である。
【図６】別の従来例の上面図（ａ）と下面図（ｂ）である。
【符号の説明】
【００３０】
１：コネクタハウジング
２：端子
１０：固定金具
１１：基板固定部
１２：ハウジング取着部
１３：アーム
１３ａ：フック
１４：スリット
２１：スロット
２２：係止段部
２３：凸部
【図１】
2009117152.tif 000003
【図２】
2009117152.tif 000004
【図３】
2009117152.tif 000005
【図４】
2009117152.tif 000006
【図５】
2009117152.tif 000007
【図６】
2009117152.tif 000008